(57)【要約】【課題】近年環境問題が騒がれ樹木の保護が注目され樹木医や造園関係者等が樹木治療を行っている。しかし治療後の腐食が進行したり、治療後が美観的に見苦しく痛痛しい仕上がりであったりと、まだまだ解決をしなくてはならない課題が多くあった。【解決手段】  腐れを取り除いた後殺菌処理を施し、無くなった木肌を復元し美観的に仕上げ、復元木肌に通気口を設け、腐れを取った空洞部に通気し内部を乾燥させ雑菌の発生を軽減した。また復元木肌が罅や隙間が生じない弾力性のある繊維下地シートを採用し、罅や隙間が生じにくく雨水が浸入しても自然に外部に排水する管あるいは孔を設け解決手段とした。【選択図】  図１
2013176304.tif 000002
【特許請求の範囲】
【請求項１】
樹木の腐食部を削り取りその表面に殺菌剤を塗り、繊維シートの片側あるいは両側に網を取り付けてその上部及び下部に管を通す孔あるいは切り込みを設けた繊維下地シートを樹木の腐食部を削り取った空洞入口周囲より大きく内側に設置し、繊維下地シートの外側表面部に土あるいは粘土に接着剤と水と粉砕した瓦粒と繊維とを混合した樹木治療再生修整材を塗り込み、繊維下地シートの上部及び下部に設けた孔あるいは切り込み部を通気及び排水口とすることで樹木の腐食空洞部の環境を整えた樹木治療再生方法。
【請求項２】
樹木の腐食部を削り取った空洞入口に、繊維シートの片側あるいは両側に網を取り付けてその繊維シートの上部及び下部に管を通す孔を設けた繊維下地シートを取り付け、その繊維下地シート外側表面部に土あるいは粘土に接着剤と水と粉砕した瓦粒と繊維とを混合した樹木治療再生修整材を塗り込んだ樹木治療再生修整材層形成し、上記孔に害虫防止網を備えた通気管を設けることを特徴とする樹木治療再生修整構造。
【請求項３】
土や粘土に接着剤や水と瓦を粉砕した瓦粒や瓦粉いわゆる粉砕瓦と繊維、瓦は骨材として強度を増し木肌の質感を出す役割、繊維はひび割れ防止の役割、これらを練り込み混ぜた特徴を持った、復元木肌の塗り層を形成するための樹木治療再生修整材に伴う、図１の樹木治療再生修整材層４の下地として、繊維シートに網を取り付け上部下部に管を通す孔あるいは切り込みを有した特徴を持った繊維下地シート３を、樹木の腐食部を取った空洞入口周囲より大きく内側に設置する方法や、樹木治療再生修整材を塗り樹木治療再生修整材層４を形成し、上部下部に通気孔あるいは通気管を設け空洞部内の換気をスムーズに行い、下部の通気孔あるいは通気管により、雨水を外部に自然排水する役割の特徴、また上部下部に通気孔あるいは通気管に害虫防止網を取り付け害虫の侵入を防ぎ空洞部の環境を整えた樹木治療再生修整材と樹木治療再生修整材層の繊維下地シートと方法。
【発明の詳細な説明】
【技術分野】
【０００１】
本発明は、樹木が再生するための治療に関する材料と方法に関する。
【背景技術】
【０００２】
近年環境問題が騒がれ樹木の保護が注目されている、特に古木は環境状況の象徴ともいわれ樹木治療がさかんに行われている。従来の樹木治療技術として特開２０００−３４２０８７（Ｐ２０００−３４２０８７Ａ）は閉塞部材としてセメントを主体とし化学性物質の硬化促進剤やアルカリポリマーなどを混ぜた部材を樹木の空洞部に詰め込む方法、特開２００６−３３５６３４（Ｐ２００６−３３５６３４Ａ）はセメントと自然素材のオカラを混ぜた閉塞部材と方法、特開平７−２３６３５９では閉塞材に管理窓を備えた方法、特開２００６−３２５５６８（Ｐ２００６−３２５５６８Ａ）は発泡性樹脂を樹木空洞部に充填しＦＲＰを上塗り閉塞部材と方法、以下従来の樹木治療について説明する。
【先行技術文献】
【特許文献】
【０００３】
【特許文献１】特開２０００−３４２０８７（Ｐ２０００−３４２０８７Ａ）
【特許文献２】特開２００６−３３５６３４（Ｐ２００６−３３５６３４Ａ）
【特許文献３】特開平７−２３６３５９
【特許文献４】特開２００６−３２５５６８（Ｐ２００６−３２５５６８Ａ）
【発明の概要】
【発明が解決しようとする課題】
【０００４】
樹木の腐食部を取り除き殺菌剤を塗り処理した後、樹木の腐食部を取り除き生じた空洞部に閉塞部材を詰める方法、たとえば閉塞部材をコンクリート方法で行った場合、コンクリート比重が２．３ｋｇあるので樹木に負担が掛かる。また硬化する際、体積が減少するので樹木との接地面が離れ隙間に雨水や落葉ごみ塵植物等が侵入し、常に湿気を帯びた状態で雑菌類の発生源となり腐食が進行し生育に支障が出た。樹木の空洞部に閉塞部材として発泡性樹脂を詰める方法では、コンクリート方法に対して発砲倍率により異なるが比重が約0.2〜0.3ｋｇと軽く樹木に対して負担の改善は見受けられるが、太陽の紫外線による劣化や風などで樹木がよじれコンクリート方法と同様に樹木との接地面が離れ隙間ができ雨水や落葉ごみ塵植物など侵入し腐食が進む原因となった。ＦＲＰ性樹脂やゴム性樹脂を発泡性樹脂の閉塞仕上げした表面に塗り施工する方法では、樹木との接地面に接着性が低く隙間が生じた。また空洞部を存在させ復元樹木表皮部に金属性の棒や金属性の網を複雑に組み込みＦＲＰ性樹脂やゴム性樹脂を塗り塞ぎ仕上げる方法では、空洞部の空気が淀み湿気が生じ雑菌の繁殖を促進させ腐食が進み樹木の健康を損ねた。またこの方法は閉塞材を塗る際、金属性の棒や金属性の網の隙間から空洞部に零れ落ち、閉塞材が金属性の棒や金属性の網に留まらせる時間と高度な施工技術が要求され予算も高額になった。これらを改善する近年樹木医が採用している方法として、樹木の腐食部を取り除き生じた空洞部面に墨汁を塗り、復元表皮９や復元層を行わない方法がとられているが課題も発生した。あまりにも空洞部が真面に見え痛々しく美観的に見ても見苦しい姿のままで、とても仕上げたとは言えない仕上がりであった。また治療した空洞部に直接紫外線が当り樹木の劣化を早め影響が出ることや、寒暖の変化が直接伝わり生育に悪影響を及ぼした。墨汁は古来より殺菌効果が高く費用も手頃で多く採用されている。これら本発明が解決しようとする課題である。
【課題を解決するための手段】
【０００５】
上記の課題を解決するための手段として、比重の重さ軽減、樹木の接地面が離れ隙間が生じ雨水や落葉ごみ塵植物などが侵入しない軽減策、空洞部を閉塞せず存在させ樹木表皮を形成復元させ尚且つ空洞部を乾燥させる課題、太陽の紫外線による劣化軽減や外部の熱を直接空洞部に伝えない仕組みの課題、低コストで容易に治療ができる課題を解決する手段として本発明を以下に説明する。比重の重さ軽減では、空洞部を閉塞部材で全部塞いでしまうのではなく空洞部は存在させ、復元樹木表皮部層を形成する方法で、空洞部の空洞となる閉塞部材分量軽く施工でき、樹木の負担を軽くする手段で課題を解決した。次に樹木と復元表皮９樹木治療再生修整材層４の接地面隙間対策では、本発明の樹木治療再生修整材の基礎下地材として、繊維シート７に網を両面あるいは片面に配置結束留めした繊維下地シート３を樹木治療再生修整材層４の基礎下地として使用する手段、網を備えた繊維下地シート３は繊維のしなやかな弾力性と適度な網の強度を持ち、樹木治療再生修整材層４の食い込みが良く密着性に優れ、樹木のねじれや震動に対応しずれることが少ない、繊維下地シート３を設置後、本発明の樹木治療再生修整材４を塗る手段で、樹木の動きに無理なく対応でき隙間が生じにくく、よって雨水や落葉などが隙間から入りにくく雑菌の発生が抑えられる。腐れを取った後の空洞部を存在させ、空洞入口周囲に木肌を復元形成させ尚且つ空洞部を乾燥させる課題では、本発明の樹木治療再生修整材を空洞入口周囲に復元形成させ、その復元表皮９樹木再生修整材層４繊維下地シート３に空気の通る孔あるいは通気管を外部から空洞部方向に開ける、又は通気管を設置し常に空洞部内部の風が動き湿気が空洞部に溜まらず、雑菌の発生を抑え良好な空洞部状況を作り出し、空洞入口周囲下部位置に通気孔あるいは通気管を開けあるいは設置することで雨水が空洞部に侵入した場合、雨水が溜まることなく、外部に自然に搬出され空洞部の乾燥が図られ、雑菌の発生を抑え樹木の回復を促進させる。この空洞部に通じる通気口を開けることは従来の方法では考えられてない方法で、新しい樹木再生の手段として活躍できる画期的な手段である。太陽の紫外線による劣化軽減や外部の熱を直接空洞部に伝えない仕組みの課題としては、本発明の樹木治療再生修整材の主成分が天然素材の土や粘土で熱伝導が遅く、また骨材として練り込んである粉砕瓦は焼き物で気泡が多く熱伝導を遅くでき、課題を解決する手段となった。低コストまた熟練工でなくても容易に施工できる課題として、低価格の土や粘土を主成分とすることで材料コストを下げ、従来の高度な技術が必要とされた復元樹皮の骨材として金属性の棒や金属性の網などを複雑に組み込む方法を採用せず、予め繊維シート７に網やネットを取り付けた繊維下地シート３を用意し樹木再生修整層４の基礎下地として使用する方法で容易に施工でき、熟練工の必要性が無くコスと削減の解決手段とした。以上本発明が課題となっていた不具合を解決するための手段とした。
樹木の腐食部を削り取りその表面に殺菌剤を塗り、繊維シートの片側あるいは両側に網を取り付けてその上部及び下部に管を通す孔あるいは切り込みを設けた繊維下地シートを樹木の腐食部を削り取った空洞入口周囲より大きく内側に設置し、繊維下地シートの外側表面部に土あるいは粘土に接着剤と水と粉砕した瓦粒と繊維とを混合した樹木治療再生修整材を塗り込み、繊維下地シートの上部及び下部に設けた孔あるいは切り込み部を通気及び排水口とすることで樹木の腐食空洞部の環境を整えた樹木治療再生方法である。
樹木の腐食部を削り取った空洞入口に、繊維シートの片側あるいは両側に網を取り付けてその繊維シートの上部及び下部に管を通す孔を設けた繊維下地シートを取り付け、その繊維下地シート外側表面部に土あるいは粘土に接着剤と水と粉砕した瓦粒と繊維とを混合した樹木治療再生修整材を塗り込んだ樹木治療再生修整材層形成し、上記孔に害虫防止網を備えた通気管を設けることを特徴とする樹木治療再生修整構造である。
【発明の効果】
【０００６】
本発明の樹木治療再生修整材と方法の効果は、樹木腐食部を削り取りその表面に殺菌剤を塗る殺菌処理作業として、細部まで腐食を取り除く方法で腐食が進行することを抑え、腐食部の削り取った空洞部内面に殺菌剤墨汁を下塗り上塗りと２回塗り、空洞部内面に染み込む対策として原液１に対して４倍の水で薄め下塗り、原液１に対して２倍の水で薄め霧吹きや刷毛で上塗り、手の届かない場所も棒の先に刷毛などを取り付け丁寧に細部まで殺菌剤を塗る方法、殺菌剤墨汁の倍率の濃さを変え下塗り上塗りの２回塗りをすることで、より良く空洞部内面に染み込み、雑菌の発生も抑えられ腐食進行を防止する。従来に比べ殺菌効果が長く継続する効果がある。
【０００７】
腐食部を削り殺菌剤を塗り処理した後、繊維シート７に網を取り付けた本発明の繊維下地シート３を、樹木腐食部を削り取り生じた空洞入口周囲空洞部内側に、本発明の樹木治療再生修整材層４を塗る基礎下地として設置する。従来の金属性の棒や金属性の網の組み合わせでは閉塞部材が空洞部内に零れてしまい、落ち着かせ仕上げるまで時間と高度な熟練技術が必要であるのに比べ、予め作った繊維下地シート３を設置することで、空洞部内に閉塞部材が零れ落ちることが無く容易に作業ができ、時間と材料のコストの削減効果と熟練工の必要もなくコスト削減の効果が出た。
【０００８】
本発明の樹木再生修整材は、罅割れ防止として化学繊維ポリプロピレン短繊維（品名バルリンク）と天然素材（麻繊維棕櫚繊維）を混ぜ、骨材として粉砕瓦を練り込み、歪みの出難い安定した素材で、罅等の発生を軽減する効果を出した。
【０００９】
網を取り付けた繊維下地シート３を設置した後、本発明の樹木治療再生修整材を下塗りする。下塗りが固まり後、本発明の樹木治療再生修整材の赤色黒色を混ぜながら樹木の肌に近似させ上塗りをする。竹ヘラ等使用しでリアルに表現した復元表皮９を形成することで、従来の技術で紹介した、空洞部のまま見えていた見苦しさや痛痛しさが緩和され美観的に優れた効果と癒し効果が大きい。
【００１０】
本発明の樹木治療再生修整材は、天然素材の土や粘土が主体成分と粉砕瓦を骨材として練り込み、瓦の気泡で熱伝導を遅くし、外部気温が高くても科学性物質と違い熱の貯め込みが少なく、太陽の紫外線による劣化も少ないので、空洞部温度が適切な環境で樹木再生がスムーズに促進させる効果がある。
【００１１】
腐れを削り取り生じた空洞部に、従来の技術では湿気が溜まり雑菌が発生したが、図１で示す空洞入口周囲の本発明の樹木治療再生修整材層４の下部と上部に、外部から空洞部に向い斜め上方向に空気の通る孔あるいは管を設ける方法で、空洞部に新しい外気の流れを生じさせ空洞部が常に乾燥状態を保てることや、図１図２で示す通気孔あるいは管は害虫防止網１１を設置し害虫やごみ塵などを防ぐ、また空洞部に雨水が入り込んだ場合、下部通気管６より雨水が溜まることなく自然に空洞部から外部に流れ出し、空洞部の良好な環境を保つ効果がある。本発明の樹木治療再生修整材は天然素材が主成分で、科学的な素材に比べ樹木の拒否反応が少なく樹皮との相性が良く樹皮の巻き込み復元力を助ける効果がある。この様に数多くの効果がある本発明の樹木治療再生修整材と方法は人間の寿命を遙かに超えた樹木でも助けることができる効果がある。
【図面の簡単な説明】
【００１２】
【図１】樹木の空洞部処理の状況縦断面図である。
【図２】図１の拡大断縦面図である。
【図３】繊維下地シートの斜示図である。
【図４】繊維下地シートの作業順番の設置横断面図である。
【発明を実施するための形態】
【００１３】
本発明の樹木治療再生修整材と方法は、樹木肌を押したり叩いたりして鈍い音や凹み、あるいは虫により発生する木くずや皮が捲り上がる状況や茸雑草等が生えている状況、また明らかに洞が見える状況、この様な樹木調査をし、傷んでいる所を雨水で濡れても落にくい雨天用のレインチョークで印す、チョークは見安いこと木肌を傷めないこと木肌の凹凸に柔軟に対応し印しができることで鉛筆やペンより優れていたので使用した。
【００１４】
治療位置を定め次に樹木１に支柱をする。腐食部を取り除き樹木に弾力性が損なわれ折れることや、樹木１が風などで揺れ細根ひげ根などがちぎれないために、治療に邪魔にならない位置に丸太八掛け支柱を施工する。細根ひげ根は水分や栄養分を吸い上げる重要な根で樹木の発育に大きく影響する。腐食部以外の直径１０ｃｍ以上の幹に紫外線防除対策や寒暖風の直接の影響を緩和するため、麻で織った保護テープ（品名緑化テープ）を樹木保護のために巻く、根張周囲に（品名ブルーシート）を敷き作業時の根に及ぼす被害の防止と、腐食部を削り取った切り粕を掃除する手間の短縮と、掃除する際根を傷めない目的で敷く。
【００１５】
腐食部の中央部から削り取り徐々に生きている樹皮３ｃｍ手前まで、大工道具の手斧風に先がＬ字形に曲がった手製の道具で大きく取り除いた後、ワイヤーブラシやノミあるいは刷毛等で最後の腐食部まで慎重に削り取り、風神機の強い風や掃除機等で細部まで腐食を丁寧に取り除く、ここで腐食部すべてを取り除くことが次に腐食を進行させない大切な方法だ。
【００１６】
腐食部を削り取った空洞部３に墨汁に松やにを混ぜた樹木医等で殺菌剤として信頼性が高い（品名キニヌ―ル）を、原液１に対して４倍の水で薄め霧吹きや刷毛で下塗り、２０℃で下塗りが乾くのは約１０分程度だった。上塗りでは原液１に対して２倍の水で薄め霧吹きや刷毛で塗る。下塗りと上塗りの薄め方が異なるのは、下塗りは空洞部内面に良く染み込むため、濃すぎると染み込みが悪い。下塗り乾燥後に上塗をする。殺菌効果を高めるため上塗りは原液１に対して２倍の水で薄めて使用した。一度塗った後は濃くても容易に塗れる。手の届かない場所も棒の先に刷毛を取り付け細部まで殺菌剤を塗り雑菌の発生を防止した。
【００１７】
腐食部を削り殺菌剤墨汁（品名キニヌ―ル）を塗り後、図１図２図３図４で示す本発明の繊維下地シート３を設置する。図４の上から下に進む作業順番方法で行う。まず繊維下地シート３を作る。繊維シート７は天然素材椰子繊維をプレスした（品名人工杉テープ）を使用し網８を片面あるいは両面にホチキス針１０の針長さ１０ｍｍを使用し留める。網８は金属性網（品名ラス網）と樹脂性網を使用した結果、共に剪定鋏での切り取り作業に問題はないが、樹脂性網より金属性網（品名ラス網）の方が柔軟性と造形した場合、形がとどまり思う様に形成ができた。よって網８は金属性網（品名ラス網）を採用した。ラス網は片面より両面備えた方法が適度な反発性と強度と柔軟性が有り両面にラス網を備えた。結果人工杉テープと両面ラス網の組み合わせが妥当であった。また図１で示す下部通気管６上部通気管５の通る孔通気管の孔１３を上下に開けた。通気管の孔１３の形状は図３で示す円形半円形どちらでも下部通気管６上部通気管５の差し込みに障害なく可能であった。下部通気管６と上部通気管５を、塩ビ管１３ｍｍ（繊維下地シート８ｍｍ＋樹木治療再生修整材層２ｃｍ〜２．５ｃｍ＋害虫網取り付け１.５ｃｍ）の想定で長さ約５ｃｍに切り、害虫の侵入を防ぐ害虫防止網１１（品名ステンレス網）を被せ結束材１２（品名ステンレス線）で結束留めし予め用意しておく。繊維下地シート３の上下に開ける通気管の孔１３の大きさは下部通気管６上部通気管５の使用塩ビ管１３ｍｍであるので１３ｍｍの通る孔を剪定鋏でカットし開けた。復元しようとする空洞入口周囲に繊維下地シート３を合わせ、空洞入口周囲より大きく、空洞部で一番広い半径分を測り、空洞入口中心位置から空洞部で一番広い半径位置点の両側分の長さで繊維下地シート３を剪定鋏でカットし予め用意して置く。
【００１８】
次に固定材１４の準備として、竹と金属棒π６ｍｍを予め用意する。大きな空洞部の場合は固定材１４を使用する。修復場所に応じ長さは異なるが図４で示す方法で長さを樹木の形状で場所に応じカットし、固定材１４を図４で示す位置に設置をする。繊維下地シート３の図３で示す通気管の孔１３を上下に位置した状態で、横方向に丸め外周が外側になる方向の中央を復元しようとする空洞入口周囲中央位置と合わせ、固定材１４の内側に設置開放する。繊維下地シート３は真直ぐになろうとする習性で外側に楕円形に収まる。固定材１４の左右を手繰り寄せステンレス線で固定する。固定個所は樹木の曲がりや大きさ状況に応じ留める。小さな空洞部の場合は固定材１４を使用せず、繊維下地シート通気管の孔１３を上下に位置した状態で横方向に丸め外周が外側になる方向で、繊維下地シート３の中央を復元しようとする空洞入口周囲中央位置と合わせ設置する。空洞部の一番広い半径位置まで達した繊維下地シート３の端が留まり、ずれを抑え固定できる。これで小さな空洞部の樹木治療再生修整材層４の下地ができ、従来の技術の様に樹木がよじれ接地面の隙間ができ腐食が進行する状況が軽減できる。
【００１９】
上部通気管５下部通気管６を図１で示す位置に、害虫防止網１１を外側に付け空洞内部２に斜め上方向に繊維下地シート３内側面まで達する位置まで差し込み設置。空洞部の通気が良好に入れ替わり適度な乾燥状態が保たれ雑菌の発生を軽減する。
【００２０】
繊維下地シート３を設置後、本発明の樹木治療再生修整材層４を塗る樹木治療再生修整材の作り方として、赤色の強い廃棄瓦を種類分けし、ブルーシートを擂り鉢状に敷き中心に鉄板を設置、防護メガネや手袋を着用し鉄板に瓦を乗せハンマーで砕き２.５ｍｍ網目の篩で篩落ちた粒や粉を約２５％に対して土や粘土約７５％の割合に接着材と水、また罅割れ防止繊維ポリプロピレン短繊維（品名バルリンク）麻繊維や棕櫚繊維を入れ混ぜた。樹木治療再生修整材赤色の作り方。黒色は黒色の強い廃棄瓦を種類分けし赤色同様に篩落ちた粒や粉を約２５％に対して土や粘土約７５％の割合に接着材と水、また罅割れ防止繊維ポリプロピレン短繊維（品名バルリンク）麻繊維や棕櫚繊維を入れ混ぜ、殺菌性の高い墨汁を混ぜ黒色を作る。
【００２１】
樹木治療再生修整材層４が繊維下地シート３に良く密着するため、ゴム手袋を着用し霧吹きに墨汁原液１に対して水４倍で薄めた液を霧状に繊維下地シート３に吹き掛け、赤色黒色を皿に出し、刷毛やゴム手袋をした手または鏝等で混ぜながら下地層として１ｃｍ程度塗り、刷毛は水洗いして再度使用する。２０℃で２時間程度経過し固まった。次に仕上げ塗りを行う、刷毛やゴム手袋をした手または鏝等で、赤色黒色を混ぜながら色具合や凹凸の質感を樹木肌に近似させながら１ｃｍから１．５ｃｍ塗りあげる。竹ヘラ等でなすり木肌のリアル感を出し２０℃で３時間程度経過し乾き固まり完成した。
【００２２】
本発明の樹木治療再生修整材は、天然素材の土や粘土が主体成分で、外部気温が高くても科学性物質と違い熱の貯め込みが少なく、紫外線による劣化軽減や空洞部の通気性を向上させ、樹木の歪みに柔軟に対応する繊維下地シート３により罅や隙間が生じが少なく、雨水が浸入しても下部通気管６により自然に排出し害虫防止網１１で害虫等の侵入を防ぎ、空洞部２の環境が良好に保たれ、復元表皮９を形成することで、従来の技術で空洞部のまま見えていた見苦しさや痛痛しさが緩和され美観的に優れた高い効果と癒し効果が大きく。治療した樹木の再生に役立つ。
【符号の説明】
【００２３】
１  樹木
２  空洞部
３  繊維下地シート
４  樹木治療再生修整材層
５  上部通気管
６  下部通気管
７  繊維シート
８  網
９  復元表皮
１０  ホチキスの針
１１  害虫防止網
１２  結束材
１３  通気管の孔
１４  固定材
【図１】
2013176304.tif 000003
【図２】
2013176304.tif 000004
【図３】
2013176304.tif 000005
【図４】
2013176304.tif 000006